【手続補正書】
【提出日】平成23年7月25日(2011.7.25)
【手続補正１】
【補正対象書類名】特許請求の範囲
【補正対象項目名】全文
【補正方法】変更
【補正の内容】
【特許請求の範囲】
【請求項１】
遊技盤の前面に形成され、発射手段から発射された遊技球が打ち込まれる遊技領域と、
該遊技領域に設けられた複数の入賞口と、
該複数の入賞口のうち始動口に遊技球が入球したことに基づいて遊技者に所定の利益を付与する利益付与状態に制御するか否かを判定する利益付与判定手段と、
前記利益付与判定手段の判定結果に基づいて複数種類の図柄情報を変動表示して所定期間の経過時に前記判定結果に応じた表示結果を導出表示する表示手段と、
該表示手段を表示制御する表示制御手段と、を備え、
前記利益付与判定手段により前記利益付与状態に制御すると判定されたことに基づいて前記表示手段に特定表示結果を導出表示する遊技機において、
遊技者が操作をし得る操作手段を備え、
前記表示制御手段は、
前記利益付与判定手段により前記判定結果が得られたときに、前記表示手段にて前記複数種類の図柄情報を変動表示してから前記表示結果を導出表示するまでの変動態様が異なる複数種類の変動パターンのうちいずれかに決定する変動パターン決定手段と、
該変動パターン決定手段が前記変動パターンを決定したときに、当該変動パターンに基づいて前記表示手段を表示制御して前記複数種類の図柄情報を変動表示する変動表示制御手段と、
前記変動パターン決定手段が前記複数種類の変動パターンのうち特定の変動パターンに決定した場合に、前記変動表示の開始後に前記利益付与判定手段の判定結果及び前記操作手段の操作に応じて予め決められた演出条件を充足するか否かの操作演出を実行して前記変動表示制御手段が前記表示結果を導出表示する以前に所定の演出結果を通知する操作演出実行手段と、を備え、
前記利益付与判定手段が前記利益付与状態に制御すると判定しているとき、前記操作演出実行手段は前記演出条件を充足可能な前記操作演出を実行して前記操作手段の操作により前記演出条件を充足すれば前記演出条件を充足した旨の演出結果を通知した後、前記変動表示制御手段は前記変動パターン決定手段が決定した変動パターンの変動時間の経過時に前記特定表示結果を導出表示することで前記演出条件を充足したことと前記特定表示結果との関連を明確にする一方、前記操作演出実行手段は前記演出条件を充足可能な前記操作演出を実行しても前記操作手段の操作により前記演出条件を充足しなければ前記演出条件を充足しなかった旨の演出結果を通知した後、前記変動表示制御手段は前記変動時間の経過前に前記非特定表示結果を疑似導出表示することで前記演出条件を充足しなかったことと前記非特定表示結果との関連を明確にし、該非特定表示結果から再度前記複数種類の図柄情報を変動表示して前記変動時間の経過時に前記特定表示結果を導出表示することを特徴とする遊技機。
【請求項２】
前記複数の入賞口のうち大入賞口を開閉制御して前記利益付与状態に制御する大入賞口開閉制御手段を備えることを特徴とする請求項１記載の遊技機。
【請求項３】
前記利益付与判定手段により前記利益付与状態に制御すると判定されたときに予め決められている特別条件が成立するか否かを判定する特別判定手段と、
該特別判定手段により前記特別条件が成立しないと判定された場合に前記利益付与状態の終了後に通常遊技状態に制御し、前記特別条件が成立すると判定された場合に前記利益付与状態の終了後に前記通常遊技状態よりも遊技者に有利な特別遊技状態に制御する状態制御手段と、を備えることを特徴とする請求項１又は請求項２に記載の遊技機。
【手続補正２】
【補正対象書類名】明細書
【補正対象項目名】０００８
【補正方法】変更
【補正の内容】
【０００８】
遊技盤の前面に形成され、発射手段から発射された遊技球が打ち込まれる遊技領域と、
該遊技領域に設けられた複数の入賞口と、
該複数の入賞口のうち始動口に遊技球が入球したことに基づいて遊技者に所定の利益を付与する利益付与状態に制御するか否かを判定する利益付与判定手段と、
前記利益付与判定手段の判定結果に基づいて複数種類の図柄情報を変動表示して所定期間の経過時に前記判定結果に応じた表示結果を導出表示する表示手段と、
該表示手段を表示制御する表示制御手段と、を備え、
前記利益付与判定手段により前記利益付与状態に制御すると判定されたことに基づいて前記表示手段に特定表示結果を導出表示する遊技機において、
遊技者が操作をし得る操作手段を備え、
前記表示制御手段は、
前記利益付与判定手段により前記判定結果が得られたときに、前記表示手段にて前記複数種類の図柄情報を変動表示してから前記表示結果を導出表示するまでの変動態様が異なる複数種類の変動パターンのうちいずれかに決定する変動パターン決定手段と、
該変動パターン決定手段が前記変動パターンを決定したときに、当該変動パターンに基づいて前記表示手段を表示制御して前記複数種類の図柄情報を変動表示する変動表示制御手段と、
前記変動パターン決定手段が前記複数種類の変動パターンのうち特定の変動パターンに決定した場合に、前記変動表示の開始後に前記利益付与判定手段の判定結果及び前記操作手段の操作に応じて予め決められた演出条件を充足するか否かの操作演出を実行して前記変動表示制御手段が前記表示結果を導出表示する以前に所定の演出結果を通知する操作演出実行手段と、を備え、
前記利益付与判定手段が前記利益付与状態に制御すると判定しているとき、前記操作演出実行手段は前記演出条件を充足可能な前記操作演出を実行して前記操作手段の操作により前記演出条件を充足すれば前記演出条件を充足した旨の演出結果を通知した後、前記変動表示制御手段は前記変動パターン決定手段が決定した変動パターンの変動時間の経過時に前記特定表示結果を導出表示することで前記演出条件を充足したことと前記特定表示結果との関連を明確にする一方、前記操作演出実行手段は前記演出条件を充足可能な前記操作演出を実行しても前記操作手段の操作により前記演出条件を充足しなければ前記演出条件を充足しなかった旨の演出結果を通知した後、前記変動表示制御手段は前記変動時間の経過前に前記非特定表示結果を疑似導出表示することで前記演出条件を充足しなかったことと前記非特定表示結果との関連を明確にし、該非特定表示結果から再度前記複数種類の図柄情報を変動表示して前記変動時間の経過時に前記特定表示結果を導出表示することを特徴とする。
請求項１記載の遊技機によれば、複数種類の変動パターンのうち特定の変動パターンに決定した場合に、変動表示の開始後に利益付与状態に制御するか否かの判定結果及び操作手段の操作に応じて予め決められた演出条件を充足するか否かの操作演出を実行して表示結果を導出表示する以前に所定の演出結果を通知するため、複数種類の図柄情報を変動表示する通常の遊技に変化を与えて遊技のマンネリ化を防止でき、遊技興趣の低下を抑制可能である。
また、利益付与状態に制御すると判定しているときに操作手段の操作により演出条件を充足すれば演出条件を充足した旨の演出結果を通知した後、変動時間の経過時に特定表示結果を導出表示することで演出条件を充足したことと特定表示結果との関連を明確にし、利益付与状態に制御すると判定しているときに操作手段の操作により演出条件を充足しなければ演出条件を充足しなかった旨の演出結果を通知した後、変動時間の経過前に非特定表示結果を疑似導出表示することで演出条件を充足しなかったことと非特定表示結果との関連を明確にし、非特定表示結果から再度複数種類の図柄情報を変動表示して変動時間の経過時に特定表示結果を導出表示する。利益付与状態に制御すると判定している場合であっても操作手段の操作により演出条件を充足しなければ演出条件を充足しなかった旨の演出結果を通知して非特定表示結果を疑似導出表示する一方で、該疑似導出表示後に非特定表示結果から再度複数種類の図柄情報を変動表示して変動表示の経過時に判定結果に応じた特定表示結果を導出表示して判定結果に整合させるため、操作演出の演出結果（所定の演出条件を充足したか否か）が判定結果に合致しなかった場合であっても操作演出の終了後に違和感なく判定結果に整合させることができる。また、操作演出を実行した変動表示とは異なる変動表示にて特定表示結果が導出表示されたと認識させて、利益付与状態に制御するか否かの判定結果に操作演出の演出結果を強制的に整合させることによる違和感を低減するため、遊技興趣の低下を抑制可能である。
また、複数の入賞口のうち大入賞口を開閉制御して利益付与状態に制御する大入賞口開閉制御手段を備えるようにしてもよい。
また、利益付与判定手段により利益付与状態に制御すると判定されたときに予め決められている特別条件が成立するか否かを判定する特別判定手段と、該特別判定手段により特別条件が成立しないと判定された場合に利益付与状態の終了後に通常遊技状態に制御し、特別条件が成立すると判定された場合に利益付与状態の終了後に通常遊技状態よりも遊技者に有利な特別遊技状態に制御する状態制御手段と、を備えるようにしてもよい。